(57)【要約】      （修正有）【課題】装飾品の通気性に依存することなく、室内空気に対し有効な脱臭能力を発揮することのできる額縁を提供する。【解決手段】装飾品ｊ１の収容される装飾品収容部１を前側に、脱臭剤１４を収容され且つ後壁に内外を連通する複数の通気用透孔１２ｃを形成された脱臭処理室部２が後側に設けられる。また側周面３は後方へ向かうに伴って前方視中央位置側へ変位されており、さらに脱臭処理室部２の後面である最後方面４の外周近傍部には複数の突起部５が周方向の間隔を置いて固設されている。【選択図】図１
0003143653.tif 000002
【実用新案登録請求の範囲】
【請求項１】
正面に透視板が止着され、装飾品が収容される収容部と、前記収容部の背後に仕切壁を隔てて脱臭剤が収容する脱臭処理室部であって、後壁に内外を連通する複数の通気用透孔が開口する脱臭処理室部と、前記装飾品収容部及び脱臭処理室部を取り巻く側周面は後方へ向かうに伴って前方視中央位置側へ変位されており、さらに前記脱臭処理室部の後壁の外周縁には複数の突起部が周方向の間隔を置いて固設されていることを特徴とする脱臭機能付額縁。
【請求項２】
開口枠体が左右一側の側縁をヒンジを介して前記脱臭処理室部の側縁に結合されると共に他側の側縁を前記脱臭処理室部の側縁の対応箇所に雌雄一対の弾性係合具を介して分離可能に結合されていることを特徴とする請求項１記載の脱臭機能付額縁。
【請求項３】
前記対応箇所の前後方向に沿った面に操作用突起部材を設けたことを特徴とする請求項２記載の脱臭機能付額縁。
【考案の詳細な説明】
【技術分野】
【０００１】
本考案は、書画などの美術品、装飾品又は記念品等を室内などに掲げるためのもので周辺空気を脱臭することのできる脱臭機能付額縁に関する。
【背景技術】
【０００２】
脱臭機能が付いた額縁として、脱臭剤を含浸させた脱臭シートの前面側に、装飾図柄が描かれ通気性を持つ装飾シートが配置されたものが例えば特許文献１及び２などに開示されている。
【０００３】
この額縁は、室内壁の壁面に掛けて使用され、装飾シートの通気性を利用してこれを通り抜けた室内空気に脱臭シートが接触して臭気を除去する。また、写真等を収容する収容室を前後に配置し、リバーシブル的に使用できる額縁が、特許文献３に開示されている。
【０００４】
【特許文献１】実公平１−３３０８０号公報
【特許文献２】特開平９−２８５５３０号公報
【特許文献３】特開２００６−３３４０００号公報
【考案の開示】
【考案が解決しようとする課題】
【０００５】
上記した従来の脱臭機能付額縁においては、脱臭シートにより得られる脱臭能力は、脱臭シート自体のそれの大小よりも、むしろ装飾シートの通気性の程度に強く依存している。
【０００６】
したがって、装飾シートの代わりに一般の書画など（特に油彩画とか、厚紙上に絵や文字の表現されたもの）を配置すると十分な通気性の確保されなくなり、たとえ脱臭シートの脱臭能力が大きくても、脱臭シートによる有効な脱臭能力が発揮されないことが生じる。
【０００７】
本考案は、装飾品の通気性に依存することなく、室内空気に対し有効な脱臭能力を発揮することのできる額縁を提供することを目的とする。
【課題を解決するための手段】
【０００８】
上記目的を達成するため、本考案に係る脱臭機能付額縁は、  正面に透視板が止着され、装飾品が収容される収容部と、前記収容部の背後に仕切壁を隔てて脱臭剤が収容する脱臭処理室部であって、後壁に内外を連通する複数の通気用透孔が開口する脱臭処理室部と、前記装飾品収容部及び脱臭処理室部を取り巻く側周面は後方へ向かうに伴って前方視中央位置側へ変位されており、さらに前記脱臭処理室部の後壁の外周には複数の突起部が周方向の間隔を置いて固設されていることを特徴とする脱臭機能付額縁。
【考案の効果】
【０００９】
本考案によれば、十分な通気性が確保されない一般の肉筆の書画など（特に油彩画とか、厚紙上に絵や文字の表現されたもの）であっても、これを装飾品収容部の内方に収容して室壁などに掲げることにより、その装飾性を効果的に発揮させることができると共に、建物の壁などの支持面と額後面との間に間隔が確保されるので、壁伝いに流れる対流空気が脱臭剤に接触するようになり、臭気を除去させることができる。
【考案を実施するための最良の形態】
【００１０】
以下、本考案の実施の形態について、図面を参照して詳細に説明する。
【００１１】
図１乃至３において、本実施形態に係る額縁１００は、装飾品収容部１とその背後の脱臭処理室部２とを有し、装飾品収容部１と脱臭処理室部２との間が仕切りで仕切られている。また側周面３が装飾品収容部１の外周面３ａと、脱臭処理室部２の外周面３ｂとで形成されると共に、背面４の外周近傍部に複数の突起部５を有している。
【００１２】
何れの外周面３ａ、３ｂも前後方向ａ１（図３）に沿わせられ、後側の外周面３ｂの全体が前側の外周面３ａよりも前方視中央位置ｂ１側において立設されている。これにより、後側の外周面３ｂの全体は前方視において、前側の外周面３ａよりも上下方向ｃ１及び左右方向ｄ１に沿った環状の段差平面領域ｅ１（図１）分だけ内方に位置した状態となっている。なお、前後の外周面３ａ、３ｂのそれぞれは必ずしも前後方向ａ１に沿わせる必要はないのであり、形態の美観を考慮して任意に屈曲させるなどして差し支えない。
【００１３】
図５において、装飾品収容部１及び脱臭処理室部２のそれぞれは全体形状が前方視で四角形であり、略同心状に配置されている。装飾品収容部１は、開口枠体６を備えている。開口枠体６は前後左右の各辺部を四角枠状に結合され内方に前方視四角状の開口６ａを有しており、また外周面３ａと、上下方向ｃ１及び左右方向ｄ１に沿った平面からなる後面６ｂとを後方へ向かうに伴って前方視中央位置ｂ１側へ変位された傾斜面６ｃで結合されている。そして開口枠体６の厚さ方向上の前寄り位置には開口６ａの全面を閉塞するための透視板７が止着されており、このさい透視板７としては例えばアクリル板やガラス板などが使用される。透視板７が開口枠体６の前寄り位置に止着されることにより、透視板７の部分が凹んだ構造となる。
【００１４】
一方、脱臭処理室部２は、開口枠体６の開口６ａに嵌合されて、透視板７と対面する平坦な前面を持つ前側長方体部２Ａとこれの後側にこれと同体状に形成された後側直方体部２Ｂとを備えている。前側直方体部２Ａの外周面ｆ１の全体は、前方視において後側直方体部２Ｂの外周面３ｂよりも前方視中心位置ｂ１側へ位置され、両者の外周面３ｂ、ｆ１の間には上下方向ｃ１及び左右方向ｄ１に沿った環状の段差平面領域ｇ１が形成されている。前側直方体部２Ａは開口枠体６の開口６ａ内に嵌り込んで、透視板７との間において装飾品収容部１の収容空間を開口枠体６内に形成する。また段差平面領域ｇ１は開口枠体６の後面６ｂの一部に当接して開口枠体６の開口６ａに対する前側直方体部２Ａの一定量以上の嵌り込み変位を規制すると共に装飾品収容部１の収容空間を封鎖する。
【００１５】
開口枠体６は、図５中の矢印方向ｄ２の一方の側縁を複数のヒンジ８を介して脱臭処理室部２に結合され図３に示す閉鎖位置と図５に示す開放位置との間で揺動可能である。各ヒンジ８は一端部を開口枠体６の後面６ｂに止着されているので、他端を後側扁平状直方体部２Ｂの外周面３ｂに止着され、開口枠体６が図３に示す閉鎖状態にあるとき開口枠体６の前方から見えない。
【００１６】
図４に、額縁１を斜め後方から見た斜視図を示す。ヒンジ８が設けられた側縁に対して対となる反対側の側縁には、弾性係合具９ａが設けられている。一方、脱臭処理室部２の対応する側縁に弾性係合具９ｂが設けられている。弾性係合具９ａ、９ｂは、雌雄一対の分離可能な係合具である。弾性係合具９ａ、９ｂは、開口枠体６と脱臭処理室部２とを引き離す一定大きさ以上の操作力が付与されることにより弾性変形して分離される。弾性係合具９ａ、９ｂを係合する場合、その逆である。
【００１７】
段差平面領域ｅ１の領域内に配置されているため、雌雄一対の弾性係合具９ａ、９ｂは、開口枠体６が図３に示す閉鎖位置にあるとき開口枠体６の背後に隠れる。
【００１８】
さらに図４に示すように、脱臭処理室部２の弾性係合具９ｂが設けられた側縁には操作用突起部材１０が設けられている。この操作用突起部材１０は開口枠体６を脱臭処理室部２の前部から引き離したいときに脱臭処理室部２の位置を維持させるための操作力を付与するためのものであり、段差平面領域ｅ１の領域内に配置されているので、開口枠体６が図３に示す閉鎖状態にあるとき開口枠体６の前方から見えない。
【００１９】
図４及び図６を参照して脱臭処理室部２をさらに詳細に説明すると、前側直方体部２Ａ及び後側直方体部２Ｂの内方には収容空間ｈ１が形成されている。収容空間ｈ１の前部は前側直方体部２Ａの内方に位置し、後部は後側直方体部２Ｂの内方に位置している。図６中、１１は脱臭処理室部２の前壁であり、１２は脱臭処理室部２の後壁である。
【００２０】
前壁１１の前面は図５に示すように絵画などの装飾品ｊ１を支持させるための支持面をなし、また前壁１１の後面は支持枠１３を介して脱臭剤１４を支持するための支持面をなしている。支持枠１３は比較的長い縦支持部材１３ａと比較的短い横支持部材１３ｂとを結合したものとなされ、このような支持枠１３の一対が前壁１１の後面に左右対称状に配置されて止着されており、複数枚（図示例では４枚）の板状の脱臭剤１４を脱着可能に支持するものとなされている。ここに、支持枠１３は前壁１１の剛性を増大させる上で寄与するものであり、また脱臭剤１４は市販されているもので炭を練り上げて成形したものである。
【００２１】
後壁１２は脱臭処理室部２の外周壁１５の内方の全面を覆う大きさであり、収容空間ｈ１に嵌挿される方形枠部１２ａと、これの後端面にその外周の内方全体を覆うように固定された方形平板１２ｂとからなる。四角形平板１２ｂには複数の通気用透孔１２ｃが略均等配置に且つ上下方向ｃ１へ適当間隔を置いて複数段（図示例では４段）に形成され、また前面の左右方向ｄ１略中間位置にスポンジなどの弾性縦押さえ部材１７を固定されている。この弾性縦押さえ部材１７は、後壁１２が図４に示すように閉鎖されたとき支持枠１３，１３の内方に嵌め込まれた各脱臭剤１４をこれの抜け出しの規制されるように前方へ弾圧するものである。
【００２２】
後壁１２は左右方向ｄ１の一方の側縁にヒンジ１８が設けられ、外周壁１５に対して揺動可能に係着されている。また他方の側縁には掛止具１９ａが設けら、外周壁１５に設けられた掛止具１９ｂに対して脱着可能である。後壁１２の後面で掛止具１９ａの近傍箇所に後壁１２をヒンジ１８回りへ揺動させるための摘み部材２０が固着されている。
【００２３】
最後方面４は後壁１２の後面と外周壁１５の後端面とからなっており、各突起部５は外周壁１５の後端面の各隅角近傍位置の縁に固設されている。
【００２４】
図中、２１は紐通し金具であり、２２は紐通し金具２１に挿通された吊り紐である。
【００２５】
次に上記額縁の使用例及び各部の作用について、場合分けして説明する。
〈装飾品収容部１に色紙などの扁平状装飾品ｊ１を収容する場合〉
額縁１００をこれの最後方面４を下側にしてテーブルなどの水平支持面に載置する。これにより突起部５が水平支持面で支持されて額縁１００の全体が水平状に支持される。
【００２６】
次に一方の手指で操作用突起部材１０を下方へ押した状態で、開口枠体６の自由側の側縁を他方の手で引き上げる。これにより、雌雄一対の弾性係合具９ａ、９ｂが手の操作力で分離側へ引張されて弾性変形し分離される。
【００２７】
開放状態の下で、脱臭処理室部２の前壁１１の前面上に油彩画や色紙などの装飾品ｊ１を配置し位置決めし、開口枠体６を閉じて弾性係合具９ａ、９ｂにより、に示すような閉鎖位置（図３及び図４参照）に係止される。
【００２８】
〈脱臭処理室部２の内方に脱臭剤１４を収容する場合〉
額縁１００をこれの開口枠体６を下側にしてテーブルなどの水平支持面に載置する。次に雌雄の掛止部材１９ａ、１９ｂを分離操作し、摘み部材２０を持って後壁１２をヒンジ１８回りへ揺動させるのであり、これにより後壁１２は図６に示すような開放状態となる。
【００２９】
この開放状態の下で、収容空間ｈ１の支持枠１３、１３内に必要枚数の脱臭剤１４を嵌め込む。これが終了した後、後壁１２をヒンジ１８回りへ揺動させ閉鎖状態にすると共に雌雄一対の掛止具１９ａ、１９ｂを掛け止め操作し、図４に示す状態とする。以上により脱臭剤１４は収容空間ｈ１内に固定的に収容される。
【００３０】
〈額縁１００を室内装飾として機能させる場合〉
額縁１００は、図１に示すように、脱臭処理室部２の外周壁１５上辺の左右方向中央箇所を室壁ｋ１の上部から吊り降ろしたワイヤｍ１に支持させ、最後方面４の全ての突起部５が室壁ｋ１表面に当接した状態とする。
【００３１】
この状態において、最後方面４と室壁ｋ１との間には突起部５の高さに合致した隙間ｎ１が形成される。この隙間ｎ１は室内空気が自然対流するとき又はエアコンなどの送風機により強制的に流動されるときに空気流動の通路となる。特に、空気流は、壁伝いに流れて対流することが知られており、隙間ｎ１が壁伝いに流れる空気流を額縁１００の裏側に取り込む。側周面３の全体が後方に向かうに伴って前方視中央位置ｂ１側へ変位して傾斜を持つことは、隙間ｎ１における室内空気の流入を助長する。
【００３２】
このように隙間ｎ１内を流動する室内空気の一部は通気用透孔１２ｃを通じて脱臭処理室部２の内方である収容空間ｈ１内に流入し、脱臭剤１４に接触して脱臭された後、通気用透孔１２ｃを通じて最後方面４の後側へ流出する。
【００３３】
こうして脱臭された空気は額縁１００と室壁ｋ１との隙間ｎ１を流通することにより、室内空気は連続的に脱臭される。また額縁１００は、図２に示すように、室壁ｋ１に固定させた吊りフック部材ｐ１に吊り紐２２を掛け止めると共に室壁ｋ１に固定させた支持フック部材ｐ２に開口枠体６の下辺部を支持させて全体として傾斜姿勢とし、最後方面４の下部縁の２つの突起部５を室壁ｋ１表面に当接させた状態とする。突起部５は、下部縁に固定されており、かつ装飾品収容部及び脱臭処理室部を取り巻く側周面は後方へ向かうに伴って前方視中央位置側へ変位されているので、額縁１００の傾きによらず２つの突起部５の間に空気の通路が形成される。
【００３４】
この場合にも、最後方面４と室壁ｋ１との間には突起部５の高さよりも大きい隙間ｎ２が形成され、この隙間ｎ２は室内空気が自然対流するとき又はエアコンの送風機などにより強制的に流動されるとき、額縁１００の最後方面４に室内空気を大きな流量で接触させる上で寄与し、図１の場合に準じた作用が得られる。
【図面の簡単な説明】
【００３５】
【図１】実施形態に係る額縁の使用状態を示す側面図である。
【図２】前記額縁の他の使用状態を示す側面図である。
【図３】前記額縁を斜め前方から見た斜視図である。
【図４】前記額縁を斜め後方から見た斜視図である。
【図５】前記額縁の前部を開放した状態を示す斜視図である。
【図６】前記額縁の後部を開放した状態を示す斜視図である。
【符号の説明】
【００３６】
１  装飾品収容部
２  脱臭処理室部
３  側周面
３ａ  外周面
３ｂ  外周面
４  最後方面
５  突起部
６  開口枠体
８  ヒンジ
９ａ  弾性係合具
９ｂ  弾性係合具
１０  操作用突起部材
１１  前壁
１２  後壁
１２ｃ  通気用透孔
１３  支持枠
１４  脱臭剤
１５  外周壁
１８  ヒンジ
ｂ１  前方視中央位置
ｃ１  上下方向
ｄ１  左右方向
ｅ１  段差平面領域
ｊ１  扁平状装飾品
【図１】
0003143653.tif 000003
【図２】
0003143653.tif 000004
【図３】
0003143653.tif 000005
【図４】
0003143653.tif 000006
【図５】
0003143653.tif 000007
【図６】
0003143653.tif 000008